(57)【要約】【課題】  画像評価装置と干渉せずに焦点位置を調節でき、光軸の傾きを規制し、剛性を確保し、光学レンズを固定できる、自動化に適した焦点調節機構を備えるレンズ鏡筒の提供。【解決手段】  ベース基準面３ａとレンズユニット５の直進ガイドとなる鏡筒ベース内壁３ｂとを有する鏡筒ベース３と、鏡筒ベース基準面３ａに接する基準面４ａと傾斜面４ｂとを有する焦点調節部４と、基準面４ａに対して垂直となるレンズ保持部５ｂを有したレンズ筒部５ａと焦点調節部斜面と一対になる傾斜面５ｄと直動ガイドとなる外壁５ｅとを有するレンズユニット５と、鏡筒ベース３に焦点調節部４とレンズユニット５を固定する固定手段を備える。【選択図】  図５
2005274703.tif 000002
【特許請求の範囲】
【請求項１】
光学レンズを保持したレンズユニットを前記光学レンズの光軸方向に移動させ、所定の撮像面で結像させる焦点調節機構を備えるレンズ鏡筒において、
前記撮像面に平行な基準面と前記基準面に対して垂直な直進ガイド部を有する鏡筒ベースと、
前記鏡筒ベースの基準面に対して摺動する摺動面と反対側に前記摺動面に対して傾斜した傾斜面を有する焦点調節部と、
前記傾斜面と一対になる傾斜面と前記鏡筒ベースの直進ガイド部と一対になる直進ガイド部を有したレンズ筒支持部と光学レンズを保持したレンズ保持枠からなるレンズユニットと、
前記レンズユニットを前記鏡筒ベースに固定する固定手段と、
前記焦点調節部を前記鏡筒ベースに固定する固定手段とを含む焦点調節機構を備えるレンズ鏡筒。
【請求項２】
請求項１記載のレンズ鏡筒において、レンズユニット若しくは焦点調節部を鏡筒ベースに固定する固定手段として、雄ネジを使用したレンズ鏡筒。
【請求項３】
請求項１記載のレンズ鏡筒において、レンズユニット若しくは焦点調節部を鏡筒ベースに固定する固定手段として、接着剤を使用したレンズ鏡筒。
【請求項４】
光学レンズを保持したレンズユニットを前記光学レンズの光軸方向に移動させ、所定の撮像面で結像させる焦点調節機構を備え、前記撮像面に平行な基準面と前記基準面に対して垂直な直進ガイド部を有する鏡筒ベースと、前記鏡筒ベースの基準面に対して摺動する摺動面と反対側に前記摺動面に対して傾斜した傾斜面を有する焦点調節部と、前記傾斜面と一対になる傾斜面と前記鏡筒ベースの直進ガイド部と一対になる直進ガイド部を有したレンズ筒支持部と光学レンズを保持したレンズ保持枠からなるレンズユニットと、を備えるレンズ鏡筒において、
前記鏡筒ベースの側壁面に形成された嵌入穴を介して、先端部を前記焦点調節部に接触して移動させる送りネジと、前記レンズユニットを焦点調節部方向に付勢する弾性部材と、該弾性部材を保持する弾性部材保持板を有し、
前記送りネジの回転方向と回転角によって、前記レンズユニットの光軸方向の位置を調節する焦点調節機構を備えるレンズ鏡筒。
【請求項５】
歯車及びカム溝を有する回転可能なカム筒と、
光軸に平行なスリット状の開口からなる直進ガイド溝が形成された直進ガイド筒と、
前記直進ガイド筒の直進ガイド溝と前記カム筒のカム溝に係合するカムフォロアを有し、前記直進ガイド筒の内周側に配置され、光学レンズを保持する第１のズームレンズユニットと、
前記直進ガイド筒の内周側かつ前記第１のズームレンズユニットより鏡筒ベース側に配置され、光学レンズを保持する第２のズームレンズユニットと、
請求項１から４のいずれかに記載の焦点調節機構を備えたことを特徴とするズームレンズ鏡筒。
【発明の詳細な説明】
【技術分野】
【０００１】
本発明は、カメラ又はカメラ付き携帯機器に搭載される光学レンズの焦点を、撮像素子上に合わせる焦点調節機構を備えるレンズ鏡筒に関する。
【背景技術】
【０００２】
従来の焦点調節機構を備えた装置の形態を図１０に示す。レンズ保持部内面１０５ａに光学レンズ１０６を保持し雄ネジ１０５ｂを有するレンズ保持部１０５を、撮像素子１０２を実装した基板１０１に固定された雌ネジ１０３ａを有する鏡筒ベース１０３に螺合させ、レンズ保持部１０５に軸回りの回転力を加えて螺進させ、前記撮像素子１０２に前記光学レンズ１０６の焦点を合わせるようにした焦点調節機構が知られている(例えば、特許文献１参照。)。
【０００３】
また、前述の焦点調節機構により焦点位置の調節を行う場合、撮像素子１０２と光学レンズ１０６の中心を通る光軸の延長線上の光学レンズ１０６に対向して画像評価装置９を配置し、画像評価装置９の出力状態を見ながら、レンズ保持部１０５を螺進させ光学レンズ１０６の焦点位置を撮像素子１０２上に合わせる。
【特許文献１】特開平８−１０１３３３号公報
【発明の開示】
【発明が解決しようとする課題】
【０００４】
螺進させ、光学レンズの焦点を撮像素子に合わせる焦点調節機構であるレンズ保持部と、画像評価装置が同軸上にあるため、焦点調節工程を自動化しようとする場合、特にズームレンズ鏡筒のバックフォーカス調整工程を自動化しようとする場合に、レンズ保持部を回転させる機構が構成し難いという問題があった。
【０００５】
また、焦点調節後に接着などの手段により、レンズ保持部を固定する必要があるが、この場合も同軸上にある画像評価装置との干渉を避けるため、別の場所へ移動させてから固定作業を行うため、移動中にレンズ保持部と位置がずれる恐れがあった。
【０００６】
また、焦点位置の精度に直接関係する部分でネジを使用しているため、雄ネジと雌ネジの加工精度等で発生するがたによって、撮像素子に対して光学レンズの光軸が傾く恐れがあった。
【０００７】
また、レンズ保持部の鏡筒ベースに対する固定が螺合しているネジ部だけとなるため、剛性が低いという欠点もあった。
【０００８】
本発明の目的は、光学レンズに対向して配置された画像評価装置と干渉せずに、焦点調節が行いながら、また、光学レンズの光軸を撮像素子に対して傾けることなく、高い剛性を確保しながら、鏡筒ベースとレンズユニットを固定できる焦点調節機構を備えたレンズ鏡筒を提供することにある。
【課題を解決するための手段】
【０００９】
本発明は、前記課題を解決するために、光学レンズを保持したレンズユニットを前記光学レンズの光軸方向に移動させ、前記光学レンズによる被写体の集光を撮像素子の感光面上に焦点を有して結像させる焦点調節機構を備えるレンズ鏡筒において、前記撮像面に平行な基準面と前記基準面に対して垂直な直進ガイド部を有し、撮像素子を実装した基板に固定される鏡筒ベースと、前記鏡筒ベースの基準面に摺動可能に設置され摺動面と反対側に前記摺動面に対して傾斜した傾斜面を有する焦点調節部と、前記傾斜面と一対になる傾斜面と前記鏡筒ベースの直進ガイド部と一対になる直進ガイド部を有したレンズ筒支持部と光学レンズを保持したレンズ筒部とからなるレンズユニットと、前記レンズユニットを前記鏡筒ベースに固定する固定手段と、前記焦点調節部を前記鏡筒ベースに固定する固定手段とを含む焦点調節機構を備えるようにレンズ鏡筒を構成する。
【００１０】
この発明では、焦点調節部の傾斜面とレンズユニットの傾斜面が摺動する方向をＸ軸、鏡筒ベース基準面上でＸ軸に直交する方向をＹ軸、光学レンズの光軸方向をＺ軸として座標系を構成すると、本発明では焦点調節部をＸ方向に移動させることで光学レンズを保持したレンズユニットをＺ方向に移動させて、撮像素子上に光学レンズの焦点調節を行うことができ、また、Ｙ方向から焦点調節部およびレンズユニットを鏡筒ベースに固定できる。なお、固定手段として、好ましい形態としては、雄ネジを使用して、鏡筒ベースと焦点位置調節部、鏡筒ベースとレンズユニットを固定するようにレンズ鏡筒を構成する。
【００１１】
また本発明は、光学レンズを保持したレンズユニットを前記光学レンズの光軸方向に移動させ、前記光学レンズによる被写体の集光を撮像素子の感光面上に焦点を有して結像させる焦点調節機構を備え、前記撮像面に平行な基準面と前記基準面に対して垂直な直進ガイド部を有し、撮像素子を実装した基板に固定される鏡筒ベースと、前記鏡筒ベースの基準面に摺動可能に設置され摺動面と反対側に前記摺動面に対して傾斜した傾斜面を有する焦点調節部と、前記傾斜面と一対になる傾斜面と前記鏡筒ベースの直進ガイド部と一対になる直進ガイド部を有したレンズ筒支持部と光学レンズを保持したレンズ筒部を含むレンズユニットと、を備えるレンズ鏡筒において、前記鏡筒ベースの側壁面に形成された嵌入穴を介して、先端部を前記焦点調節部に接触し、焦点調節部を移動させる送りネジと、前記レンズユニットを光軸方向の撮像素子側に付勢する弾性部材と、該弾性部材を保持する弾性部材保持板を含み、前記送りネジの回転方向と回転角によって、前記レンズユニットの光軸方向の位置を調節する焦点調節機構を備えるようにレンズ鏡筒を構成する。
【００１２】
この発明では、鏡筒ベースと焦点調節部とレンズユニットを固定手段で固定することなく、送りネジを回転させることにより、焦点位置の調節を行うことが可能となる。この構成では、外部環境によって、焦点ボケが発生した場合や比較的近距離に焦点を合わせる場合に、焦点位置を比較的容易に変更できるメリットがある。
【００１３】
また本発明は、歯車及びカム溝を有する回転可能なカム筒と、光軸に平行なスリット状の開口からなる直進ガイド溝が形成された直進ガイド筒と、前記直進ガイド筒の直進ガイド溝と前記カム筒のカム溝に係合するカムフォロアを有し、前記直進ガイド筒の内周側に配置され、光学レンズを保持する第１のズームレンズユニットと、前記直進ガイド筒の内周側かつ前記第１のズームレンズユニットより撮像素子側に配置され、光学レンズを保持する第２のズームレンズユニットを備えたズームレンズ鏡筒において、請求項１〜６記載の焦点調節機構を備えるようにズームレンズ鏡筒を構成する。
【００１４】
この発明では、ズームレンズ鏡筒のバックフォーカス調整用にくさび状の焦点調節部を使用した焦点調節機構を使用することにより、光学レンズを回転することなく、高精度な焦点調節が可能となる。
【発明の効果】
【００１５】
本発明によれば、焦点調節を行う目的で、Ｚ軸＋方向である光学レンズに対向する方向に画像評価装置を配置した状態で、Ｘ軸＋方向を焦点調節部の移動による焦点調節に使用し、Ｙ軸±方向を焦点調節部およびレンズユニットの固定に使用できるため、同一ステーションにおける、焦点調節と、焦点調節部およびレンズユニットの固定が可能となり、自動化が容易となる。
【００１６】
また、焦点調節部の傾斜面とレンズユニットの傾斜面を接触させ、焦点調節部とレンズユニットを組合せた状態で基準面に対して、レンズ保持部が垂直になるように加工すれば、高精度で光軸の傾きを減少させられる。
【００１７】
また、鏡筒ベースの基準面と焦点調節部の基準面および焦点調節部の傾斜面とレンズユニットの傾斜面がそれぞれ面接触し、その状態で固定しているため、レンズ鏡筒として高い剛性が得られる。
【発明を実施するための最良の形態】
【００１８】
図１〜図５を参照して本発明の一実施形態に係る焦点調節機構を説明する。
図１、図２に示す本発明の実施の形態にかかわる焦点調節機構は、撮像素子２を実装した画像処理回路等の周辺回路が形成されたプリント基板１と、このプリント基板１に固定された鏡筒ベース３とこの鏡筒ベース３上に図中座標軸のＸ方向に摺動可能に配置された焦点調節部４と、光学レンズ６を保持し、図中座標軸のＺ方向に摺動可能に配置されたレンズユニット５と前記レンズユニット５を前記鏡筒ベース３に固定する。レンズユニット固定ネジ７と前記焦点調節部４を前記鏡筒ベース３に固定する焦点調節部固定ネジ８を備えている。鏡筒ベース３は、コの字形状で、撮像素子２の撮像面と平行な鏡筒ベースの基準面３ａと鏡筒ベースの基準面３ａに対して垂直な３面の鏡筒ベースの内壁３ｂとコの字の開口部を形成する２面の開口部から遠い方にある縦長穴３ｃとコの字の開口部を形成する２面の開口部から近い方にある横長穴３ｄを備えている。
【００１９】
焦点調節部４は、コの字形状で、鏡筒ベース３の鏡筒ベース基準面３ａに接する焦点調節部の基準面４ａと図中座標軸のＸ方向の移動をＺ方向に変換する焦点調節部の傾斜面４ｂと焦点調節部を鏡筒ベースに固定するための雌ネジ４ｃとを備えている。
【００２０】
レンズユニット５は、円筒形状で光学レンズ６を保持するレンズ保持部５ｂを内面に有するレンズ保持枠５ａと、レンズユニット５を鏡筒ベース３に固定するための雌ネジ５ｆを有したレンズユニットのレンズ筒支持部５ｃと、焦点調節部の傾斜面４ｂと一対になり図中座標軸のＺ方向への移動を行うレンズユニットの傾斜面５ｄと、前記Ｚ方向への移動時に鏡筒ベースの内壁３ｂに摺動可能に設置されるレンズユニットの外壁５ｅから構成される。レンズ保持部５ｂは、レンズユニット５と焦点調節部４をレンズユニットの傾斜面５ｄと焦点調節部の傾斜面４ｂを接した状態で、焦点調節部の基準面４ａに対して垂直になるように加工すると光軸の傾きを高精度に規制できる。
【００２１】
次に図３〜図５により焦点調節の動作を説明する。ＣＣＤ、ＣＭＯＳイメージセンサ等の撮像素子２を使用して良質な撮影画像を得るためには、光学レンズ６による被写体の集光を撮像素子２の感光面上に正しく焦点を合わせて結像させることが重要である。正しく焦点を合わせて結像した状態を得るために、画像評価装置９を被写体として光学レンズ６に対向して設置し、焦点調節部４の基準面４ａを鏡筒ベースの基準面３ａ上で図中座標軸のＸ方向に摺動させ、一対となった焦点調節部４の傾斜面４ｂとレンズユニット５の傾斜面５ｄによりＺ方向の移動に変換し、鏡筒ベースの内壁３ｂとレンズユニットの外壁５ｅを直進ガイドとしてレンズユニット５を移動させることにより光学レンズ６を図中座標軸のＺ方向に移動させながら撮影画像の状態を評価し、撮影画像が最適な位置で光学レンズ６を保持したレンズユニット５を、鏡筒ベース３の縦長穴３ｃを通したレンズユニット固定ネジ７で、鏡筒ベース３に固定することになる。
【００２２】
また、焦点調節部４を鏡筒ベース３の横長穴３ｄを通した焦点調節部固定ネジ８で鏡筒ベース３に固定することにより、レンズユニット５の取付部の剛性が向上する。なお本実施の形態では、レンズユニット５の図中座標軸のＺ方向移動のガイドとして、鏡筒ベースの内壁３ｂとレンズユニットの外壁５ｅを使用する構成としたが、例えばガイドピンによる直進ガイドによる構成も可能である。
【００２３】
本実施の形態では、焦点調節部４およびレンズユニット５の鏡筒ベース３に対する固定手段として、焦点調節部固定ネジ８およびレンズユニット固定ネジ７を使用しているが、固定手段はネジに限定されるものではなく、例えば、固定手段として、接着剤を使用することも可能である。図６に示すように、鏡筒ベース３の縦長穴３ｃ及び横長穴３ｄの代わりに、接着剤注入穴３ｅを形成し、レンズユニットと鏡筒ベース及び焦点調節部と鏡筒ベースとの固定に接着剤注入穴３ｅより接着剤１０を適切な量を注入して固定する。なお、焦点位置の設定後、短時間に鏡筒ベース３と焦点調節部４とレンズユニット５を固定する必要があるため、光硬化型の接着剤を使用することが望ましい。
【００２４】
次に焦点調節工程の自動化に適した焦点調節機構を備えたレンズ鏡筒の構成について、図７に基づき、説明する。図７は、送りネジを使用してくさび型の焦点調節部をＸ軸−方向に移動させ、焦点調節部とレンズユニットの傾斜面を利用して、レンズユニットをＺ軸＋方向に移動させ、一方、弾性材の付勢力を利用してレンズユニットをＺ軸−方向に移動させる焦点調節機構の斜視図である。
【００２５】
図７に示す焦点調節機構を備えたレンズ鏡筒は、レンズユニット５、焦点調節用送りネジ１１、弾性部材１２、鏡筒ベース１３、焦点調節部１４、弾性部材保持部１５、弾性部材保持部固定ネジ１６を備える。なお、レンズユニット５は図１に示すレンズユニットと同様の構成である。焦点調節用送りネジ１１は、先端部を焦点調節部の端面に接触し、焦点調節部１４をＸ軸−方向に移動させる機能を備える。弾性部材１２は、レンズユニット５をＺ軸−方向に付勢する機能を備える。鏡筒ベース１３は図１で示す鏡筒ベース３において縦長穴３ｃ、横長穴３ｄを削除し、焦点調節送りネジ１１を保持するネジ穴１３ｂと弾性体保持部１５を固定するネジ穴を追加した構成からなる。焦点調節部１４は図１で示す焦点調節部４において、雌ネジ４ｃを削除した構成となる。弾性部材保持板１５は、弾性部材１２を押圧、保持する機能を備え、鏡筒ベース１３とレンズユニットのレンズ筒支持部５ｃによって形成される空間部に弾性部材１２を収納した後、この弾性部材１２を押圧するように、鏡筒ベース１３に弾性部材保持板用固定ネジ１６で固定する。
【００２６】
次に焦点調節用送りネジ１１の回転による、焦点調節の動作について説明する。焦点調節用送りネジ１１を時計方向に回転する場合、先端部がＹ軸＋方向に突出し、焦点調節部１４がＸ軸−方向に摺動し、焦点調節部の傾斜面とレンズユニットの傾斜面を介して、レンズユニット５はＺ軸＋方向に移動する。一方、焦点調節用送りネジ１１を反時計方向に回転する場合、レンズユニット５に対する弾性部材１２のＺ軸−方向への付勢力により、焦点調節用送りネジ１１の先端部が前記焦点調節部１４の側面に接触するように付勢され、焦点調節部はＸ軸＋方向へ移動する。接触するレンズユニットは、レンズ筒保持部５ｂの傾斜面が焦点調節部１４の傾斜面に当接するように、Ｚ軸−方向へ移動する。したがって、焦点調節用送りネジ１１の回転方向及び回転角により、レンズユニットの光軸方向の位置調節が可能であり、画像評価装置９の出力に基づき、最終的に光学レンズの焦点位置の最適化が可能となる。なお、このレンズ鏡筒における弾性部材１２は、レンズユニットを光軸方向に付勢する機能を持てばよく、ゴム、樹脂の板状の素材や、板バネやコイルバネなどバネを使用することも可能である。
【００２７】
最後に、カム筒を使用して、複数のレンズ群を駆動するズームレンズ鏡筒において、本発明の一部である焦点調節機構を適応した構成について、図８〜９に基づき、説明する。図８は焦点調節機構を備えるズームレンズ鏡筒の分解斜視図であり、図９は焦点機構を備えるズームレンズ鏡筒の縦断面図である。ズームレンズ鏡筒２１は、カム筒２２、第１のズームレンズユニット２４、第２のズームレンズユニット２５、複数の第１のカムフォロア２６、複数の第２のカムフォロア２７、レンズユニットストッパ２８、鏡筒カバー２９、カム筒を補強する環状のカム筒補強部材３０、例えばＬ１レンズを含む第１のレンズ群３１、例えば複数のレンズＬ２、Ｌ３を含む第２のレンズ群３２、第１、第２レンズユニットを互いに反発するように付勢する付勢ばね３３、撮像素子３７を備え、焦点調節機構として、直進ガイド溝２３ａとくさび形状を有するガイド筒支持部２３ｃと内面に第３のレンズ部３４を保持するレンズ保持部２３ｂとからなる直進ガイド筒２３、焦点調節部３５、鏡筒ベース３６を備える。  カム筒２２は、カム溝２２ａ、第1のカムフォロア２６を介して、第1のレンズユニット２４を駆動し、カム溝２２ｂ、第２のカムフォロア２７を介して、第２のレンズユニット２５を駆動する。カム筒外周部には、図示されていないモータによる回転駆動力を受ける歯車２２ｃを備える。
【００２８】
直進ガイド筒２３は、内部に開口部を有し、第１、第２のズームレンズユニット２４、２５を内包し、一端に第１、第２のカムフォロア２６、２７を嵌入する嵌入口を備え、第１、第２のレンズユニットが光軸方向に沿って直進移動するよう、光軸方向に沿う直線スリット状の開口部からなる複数の直進ガイド溝２３ａが直動ガイド筒の内周面と外周面を貫通する形で形成される。
【００２９】
第１、第２のズームレンズユニット２４、２５は、それぞれレンズ保持枠を含み、第１、第２のレンズ保持枠には、第１、第２のカムフォロア２６、２７が外周部に複数突設され、撮影レンズ系を構成する第１、第２のレンズ群３１、３２をそれぞれ第１、第２のレンズ保持枠２４ａ、２５ａの内側に保持する。
【００３０】
第１のカムフォロア２６は、カム筒２２の第１のカム溝２２ａと直進ガイド筒２３の直進ガイド溝２３ａに係合しており、カム筒２２の回転と、直進ガイド筒の直進ガイド溝２３ａの規制によって、第１のズームレンズユニット２４と共に光軸方向に沿って進退移動させられる。同様に、第２のカムフォロア２６は、カム溝２２ｂと、直進ガイド溝２３ａに係合しており、カム筒２２の回転と、直進ガイド筒の直進ガイド溝２３ａによる規制によって、第２のズームレンズユニット２５と共に光軸方向に沿って進退移動させられる。なお、第１、第２のカムフォロアは金属若しくは樹脂等により形成されており、それぞれ第１、第２のズームレンズユニットと一体成形されるか、圧入等により第１、第２のレンズユニットに予め固定されている。
【００３１】
一方、焦点調節機構はくさび状のガイド筒支持部２３ｃを含む直進ガイド筒２３、第３のレンズ部３４、くさび状の焦点調節部３５、鏡筒ベース３６、撮像素子３７で構成される。この焦点調節機構によって、第３のレンズ部３４をガイド筒の内部に保持した直進ガイド筒２３は、カム筒２２及びカム筒に内包された第１のレンズユニット２４及び第２のレンズユニット２５と共に光軸方向に移動可能な状態で配置される。画像評価装置を使用して撮像素子から出力される信号に基づきコントラストを検出し、適切なバックフォーカス位置が得られるように焦点位置を調節した後に、ネジや接着剤等の固定手段を使用して、直進ガイド筒と焦点調節部と鏡筒ベースを固定することにより、ズームレンズ鏡筒の焦点調節が比較的容易に実現する。
【００３２】
なお、図８に示したズームレンズ鏡筒の焦点調節機構の代わりに、図７に示す送りネジと弾性部材を使用した焦点調節機構を使用することも可能である。また、最後に、図１、図７に示したレンズ鏡筒と図８に示したズームレンズ鏡筒では、撮像素子を使用しているが、撮像素子の代わりにフィルムを使用したフィルムカメラにも本発明の焦点調節機構を含むレンズ鏡筒及びズームレンズ鏡筒を使用することも可能である。
【図面の簡単な説明】
【００３３】
【図１】本発明の実施形態に係る焦点調節機構を示す斜視図である。
【図２】図１の焦点調節機構を詳細に示す分解斜視図である。
【図３】図１の焦点調節機構を示す平面図である。
【図４】図３の矢印Ａ−Ａ線に沿って焦点調節機構を示す断面図である。
【図５】図３の矢印Ｂ−Ｂ線に沿って焦点調節機構を示す断面図である。
【図６】固定方法として接着剤を使用した焦点調節機構を示す斜視図である。
【図７】送りネジと弾性部材を使用した焦点調節機構を示す分解斜視図である。
【図８】焦点調節機構を備えるズームレンズ鏡筒を示す分解斜視図である。
【図９】図８の焦点調節機構を含むズームレンズ鏡筒を示す縦断面図である。
【図１０】従来のバックフォーカス調節機構を示す断面図である。
【符号の説明】
【００３４】
１  プリント基板
２  撮像素子
３  鏡筒ベース
４  焦点調節部
５  レンズユニット
６  光学レンズ
７  レンズユニット固定ネジ
８  焦点調節部固定ネジ
９  画像評価装置
１０  接着剤
１１  送りネジ
１２  弾性材
１３  鏡筒ベース
１４  焦点調節部
１５  弾性材保持板
１６  弾性部材保持板用固定ネジ
２１  ズームレンズ鏡筒
２２  カム筒
２３  直進ガイド筒
２４  第１のレンズユニット
２５  第２のレンズユニット
２６  第１のカムフォロア
２７  第２のカムフォロア
２８  レンズユニットストッパ
２９  鏡筒カバー
３０  カム筒補強リング
３１  第１のレンズ群
３２  第２のレンズ群
３３  付勢ばね
１０１  プリント基板
１０２  撮像素子
１０３  ベース
１０５  レンズ保持部
１０５ａ  レンズ保持部内面
１０６  光学レンズ
【図１】
2005274703.tif 000003
【図２】
2005274703.tif 000004
【図３】
2005274703.tif 000005
【図４】
2005274703.tif 000006
【図５】
2005274703.tif 000007
【図６】
2005274703.tif 000008
【図７】
2005274703.tif 000009
【図８】
2005274703.tif 000010
【図９】
2005274703.tif 000011
【図１０】
2005274703.tif 000012